Podtech/llm-jp-corpus-v4-ja_patent huggingface dataset:
(57)【要約】      （修正有）【課題】静電気及び塵・埃の除去機能に優れ、且つ、作業性・経済性・多用性に優れた静電気、及び、塵・埃除去用手袋を開発・提供する。【解決手段】表面部をマイクロファイバー等の超極細繊維と、導電糸を表裏混合して織り交ぜたパイル編みに形成する。又、指先部分と手の平部分を、マイクロファイバー等の超極細繊維と、導電糸を表裏混合して織り交ぜたパイル編みに形成する。【選択図】図１
0003133508.tif 000002
【実用新案登録請求の範囲】
【請求項１】
五本指型又はミトン型手袋の表面部にパイル組織を編成してなる手袋において、該手袋は表面部全面をマイクロファイバー等の超極細繊維と導電糸を表裏混合して織り交ぜたパイル編み（Ｐ）に形成して成る事を特徴とする静電気及び塵・埃除去用手袋。
【請求項２】
五本指型又はミトン型手袋の表面部にパイル組織を編成してなる手袋において、該手袋は指先部分（１）と手の平部分（２）をマイクロファイバー等の超極細繊維と導電糸を表裏混合して織り交ぜたパイル編み（Ｐ）に形成して成る事を特徴とする静電気及び塵・埃除去用手袋。
【考案の詳細な説明】
【技術分野】
【０００１】
この考案は、手袋の外側表面部にパイル組織を一部編成してなる静電気及び塵・埃除去用手袋に関するものである。
【背景技術】
【０００２】
従来、埃や塵等の汚れを取るタオル状の物は有ったが、拭き取る際、拭き取る対象物とタオル状の物との摩擦が強いと、タオル状の物を持つ手には力が必要で、タオル状の物から手が滑る事があった。
【０００３】
又、短繊維の糸を使用したもので、拭き取りを行うと、拭き取りをした後、自身から出た屑が拭き取り対象物に付着する事があった。
【０００４】
又、拭き取りでは埃や塵等の汚れしか取り除く事が出来ず、それが付着する原因でもある静電気までは除去出来なかった。
【０００５】
これまでに出願されているパイル編み手袋の特許文献を参考の為、紹介する。（特許文献１参照。）
【特許文献１】特許公開２００２−２８５４１２
【考案の開示】
【考案が解決しようとする課題】
【０００６】
そこで、上記課題を解決する為に、この考案は誰もが容易に取り扱え、且つ、静電気及び塵・埃の除去機能に優れ、且つ、作業性・経済性・多用性に優れた静電気及び塵・埃除去用手袋を開発・提供する事にある。
【課題を解決するための手段】
【０００７】
この課題を解決する為の手段として、表面部全面をマイクロファイバー等の超極細繊維と導電糸を表裏混合して織り交ぜたパイル編みに形成して成るものである。又、指先部分と手の平部分をマイクロファイバー等の超極細繊維と導電糸を表裏混合して織り交ぜたパイル編みに形成して成るものである。
【考案の効果】
【０００８】
この考案の効果として、表面部全面をマイクロファイバー等の超極細繊維と導電糸を表裏混合して織り交ぜたパイル編みに形成して成るものである。又、指先部分と手の平部分をマイクロファイバー等の超極細繊維と導電糸を表裏混合して織り交ぜたパイル編みに形成して成る事で、静電気及び塵・埃の除去機能や吸水性・通気性・保温性等に優れ、且つ、作業性・経済性・多用性に優れる等、極めて有益なる効果を奏するものである。
【考案を実施するための最良の形態】
【０００９】
この考案の最良の形態として、使用目的・用途に応じた最適寸法形状・材質等を選定し、効果的、且つ、経済的な静電気及び塵・埃除去用手袋を形成する事が重要である。
【実施例１】
【００１０】
そこで、この考案の一実施例を図１〜図２に基づいて詳述すると、五本指型又はミトン型手袋の表面部にパイル組織を編成してなる手袋において、該手袋は表面部全面をマイクロファイバー等の超極細繊維と導電糸を表裏混合して織り交ぜたパイル編み（Ｐ）に形成して成る事を特徴とする静電気及び塵・埃除去用手袋から構成される。
【００１１】
次に、この考案の詳細について詳述すると、図３に示す様に、表面部のマイクロファイバー等の超極細繊維で形成したパイル編み（Ｐ）と裏面部のウーリーナイロン糸等の長繊維と導電糸をメリヤス編み（Ｍ）に織り交ぜて形成し、且つ、手首の部分には口ゴム部（３）を設けている。
【００１２】
又、図２（Ａ）は、図１のａ部拡大詳細図で、図２（Ｂ）は、図１のｂ部拡大詳細図である。
【００１３】
又、パイル編み（Ｐ）部の詳細については色々な方法が有り限定はしないが、例えば図３の場合は、糸を渡り糸（ＣＴ）とパイル糸の二本に分割し、且つ、一本をループ状のパイル目（Ｐａ）に編成して成るもので、裏面は良く伸び縮みするメリヤス編み（Ｍ）に編成されている。
【００１４】
そして、この考案の手袋は吸水性・通気性・保温性に優れている為、静電気及び塵・埃除去用だけでなく、幅広い用途にも使用可能である。
【実施例２】
【００１５】
その他の実施例について説明すると、五本指型又はミトン型手袋の表面部にパイル組織を編成してなる手袋において、該手袋は指先部分（１）と手の平部分（２）をマイクロファイバー等の超極細繊維と導電糸を表裏混合して織り交ぜたパイル編み（Ｐ）に形成して成る事を特徴とする静電気及び塵・埃除去用手袋から構成される。
【００１６】
又、その他の実施例に関しては、効果を最大限に発揮する為に、上記の指先部分（１）と手の平部分（２）をマイクロファイバー等の超極細繊維と導電糸を表裏混合して織り交ぜたパイル編み（Ｐ）に形成したもの以外に、それぞれの使用する目的・用途に合わせて、適宜パイル編み（Ｐ）の位置を変更して形成しても構わない。
【００１７】
更に、実施例1の様な表面部がパイル編み（Ｐ）で、裏面部がメリヤス編み（Ｍ）の手袋を表裏反転させて使用し、防寒用手袋として使用する事も可能である。
【産業上の利用可能性】
【００１８】
この考案の静電気及び塵・埃除去用手袋は、静電気及び塵・埃の除去機能や吸水性・通気性・保温性等に優れ、且つ、作業性・経済性・多用性に優れている事で、自動車産業やサービス業等、多くの各種市場に寄与する点で産業上の利用可能性を有する。
【図面の簡単な説明】
【００１９】
【図１】この考案の一実施例を示し、正面図である。
【図２】この考案の一実施例を示し、（Ａ）は図１のａ部拡大詳細図で、（Ｂ）は図１のｂ部拡大詳細図である。
【図３】この考案の一実施例を示し、パイル編み組織の拡大詳細図である。
【符号の説明】
【００２０】
１  指先部分
２  手の平部分
３  口ゴム部
ＣＴ  渡り糸
Ｍ  メリヤス編み
Ｎ  針
Ｐ  パイル編み
Ｐａ  パイル目
【図１】
0003133508.tif 000003
【図２】
0003133508.tif 000004
【図３】
0003133508.tif 000005
(57)【要約】【課題】本考案は、綿棒、つま楊枝入れ容器の機能を効果的に高めたものである。【解決手段】本考案の整理巻込ロールシートは、巻込中心より外側円形状に広がる形状記憶加工を施しており、綿棒、及びつま楊枝入れ容器の中心に閉じた状態の巻込ロールシートを挿入セットすることで、綿棒、つま楊枝が使用減少してゆく段階で巻込ロールシートが自動的に外側に円形状に広がり、乱雑する綿棒、つま楊枝を取り出し易く整理し、且つ容器の蓋の開閉を容易にし、衛生的にしたものである。【選択図】図１
0003133574.tif 000002
【実用新案登録請求の範囲】
【請求項１】
本考案は、容器内の綿棒、つま楊枝を整理する巻込ロールシートであり、ロールシートに閉止フックを設け、このフックを解除するとロールの中心から外側に向かって円形状に広がる形状記憶加工を施したところを特徴とする整理巻込ロールシート。
【考案の詳細な説明】
【技術分野】
【０００１】本考案は、衛生的で整理を効率よくする綿棒、及びつま楊枝に関するものである。
【背景技術】
【０００２】従来の綿棒、及びつま楊枝入れ容器は、綿棒、つま楊枝が使用減少していく段階で棒状が互いに倒れこみで乱雑になり取り出しにくく整理ができなく容器の蓋の開閉も悪くなり衛生上も好ましくない。
【考案の開示】
【考案が解決しようとする課題】
【０００３】本考案は、容器内の綿棒、つま楊枝を常時整理することにより、前述の欠点を解決しようとするものである。
【課題を解決するための手段】
【０００４】本考案１の整理巻込ロールシートは、２の閉止フックを設けこのフックを外すと３の開きロールシートの外側に円形状に広がる性質の形状記憶加工が施している。
１の巻込ロールシートを２の閉止フックを外し綿棒、及びつま楊枝が収納されている容器内の中心に挿入セットをし、、綿棒、つま楊枝が使用され減少してゆく段階で、３の開きロールシートのようにロールの中心より外に向かって広がりその作用で倒れこみによる乱雑する綿棒、つま楊枝を整理し、取り出しやすく、且つ容器の蓋の開閉を容易にし、衛生上の課題も解決しようとしたものである。
【考案の効果】
【０００５】上述の様に容器内の綿棒、つま楊枝が使用減少しても取り出しやすく常時整理ができ衛生的である。
【考案を実施するための最良の形態】
【０００６】本考案の整理巻込ロールシートは、帯状で形成され金属、プラスチック、及び紙材の素材で形状記憶加工が施されているのが特徴。
【実施例】
【０００７】本考案の整理巻込ロールシートを利用することで、綿棒、つま楊枝を他の容器に移し替える必要が省ける。
【図面の簡単な説明】
【０００８】
【図１】整理巻込ロールシート
【図２】開きロールシート
【図３】綿棒、及びつま楊枝容器の中心に挿入した整理巻込ロールシート。
【図４】綿棒、及びつま楊枝が使用減少する段階で広がり整理してゆく開きロールシート。
【符号の説明】
【０００９】    １巻込閉じた整理巻込ロールシート
２閉止フック
３開きロールシート
４容器蓋
５挿入セット整理巻込ロールシート
６全収納綿棒、及びつま楊枝
７整理巻込ロールシートを挿入した容器
８開きロールシート
９整理された綿棒、及びつま楊枝
１０綿棒、及びつま楊枝が整理される容器
【図１】
0003133574.tif 000003
【図２】
0003133574.tif 000004
【図３】
0003133574.tif 000005
【図４】
0003133574.tif 000006
(57)【要約】      （修正有）【課題】ブレンド茶等が最後まで平均に振り出せる容器を提供する。【解決手段】透明筒型容器１本体外部に取っ手２と固定台３を設け、入口に蓋装着線を設け、内部は筒型ストレート仕上げにし、蓋に取っ手を設け内部奥に装着線を設けたブレンド茶筒。【選択図】図１
0003133572.tif 000002
【実用新案登録請求の範囲】
【請求項１】
透明筒型容器本体外部に取っ手と固定台を設け、入口に蓋装着線を設け、内部は筒型ストレート仕上げにし、蓋に取っ手を設け、内部奥に装着線を設けたことを特徴とするブレンド茶筒。
【考案の詳細な説明】
【技術分野】
【０００１】  本考案は、筒型容器に蓋、取っ手、固定台、を設けたブレンド茶筒に関するものである。
【背景技術】
【０００２】  従来、茶筒として、円形縦置き茶筒であった。
【考案の開示】
【考案が解決しようとする課題】
【０００３】そのために、次のような問題点があった。
（イ）  縦型容器では、粗仕上げと抹茶等のブレンドの場合、抹茶が下に沈んでいるの        で上からのすくい取りでは、平均に取り出すことができない。
（ロ）  金属製の物では、内部が分からず均しながら振り出す事も難しい。
（ハ）  蓋閉めは密封性を保つため、円形状になるため横置きは難しいものである。
本考案は、これらの問題点を解決するためになされたものである。
【課題を解決するための手段】
【０００４】  透明筒型容器本体外部に取っ手と固定台を設け、入口に蓋装着線を設け、内部は筒型ストレート仕上げにし、蓋に取っ手を設け、内部奥に装着線を設ける。以上を特徴とするブレンド茶筒である。
【考案の効果】
【０００５】  筒型容器を大きくしても持ちやすく、振り易く均し加減がよく見え、抹茶などの粉末部分も途中でつかえることも無く、振り出し口から蓋に好みの量を容易に振り出すことができ、最後までブレンド茶が味わえる。また、横置きができることにより、茶葉が同じ状態で次も使用できる。
【考案を実施するための最良の形態】
【０００６】以下、本発明の実施の形態について説明する。
（イ）  容器本体（１）の外側に取っ手（２）を設け固定台（３）を設け入口に装着線        （４）を設ける。
（ロ）  蓋（５）の奥に装着線（６）を設け、蓋上部に点線内凹部（７）を設け、蓋取        っ手（８）を設ける。
本考案は以上のような構成で、これを使用する時は、ブレンド容器（１）に茶葉等を８分目位入れ、蓋（５）を閉め取っ手（２）を持ち、横に振り中の様子を見ながら均していき静かに蓋（５）をはずしながら蓋に好みの量を振り出して使用する。使用後は、縦置きせず固定台（３）により横置きにして置くことで次に振り出すときに容易である。
【実施例１】
【０００７】  中の状態が見える透明なプラスチック等で作るが、邪魔しない程度の図柄模様があっても良い。細い茶筒では蓋（５）に取っ手（８）を設ける必要はないが、大型茶筒に取っ手を設けると開けやすい。
【産業上の利用可能性】
【０００８】  茶筒として大小作れるが、特に社員大食堂にて使用する茶筒として便利である。ブレンド茶の他にブレンド食品例としてふりかけ等を入れることもできる。
【図面の簡単な説明】
【０００９】
【図１】本考案の容器側面図
【図２】本考案の蓋斜視図
【図３】本考案の蓋平面図
【符号の説明】
【００１０】  １  容器
２  取っ手
３  固定台
４  容器装着線
５  蓋
６  蓋装着線
７  点線内凹部
８  蓋取っ手
【図１】
0003133572.tif 000003
【図２】
0003133572.tif 000004
【図３】
0003133572.tif 000005
(57)【要約】      （修正有）【課題】従来のシャンプボールのネック部は、前客のシャンプによりネック部が水で濡れた状態のまま、ネック部にネックを乗せねばならず、又、前客の肌のぬくもりが残っている状態で直接ネックを乗せねばならずネックが濡れたり、ぬくもりの余韻が非常に不快を感じるが、この不快感を解消する。【解決手段】シャンプボールのネック部に不職紙（防水処理を施したＡ４サイズの紙）を敷いてシャンプが出来れば、前客によるネック部の水濡れや、前客の肌のぬくもりの残ったネック部にネックを直接乗せることがないので不快を感じることなく快適なシャンプが出来る。又、使い捨てなので清潔でもある。【選択図】図１
0003133577.tif 000002
【実用新案登録請求の範囲】
【請求項１】
防水加工済みの不織紙（Ａ４サイズ）を  シャンプ台のネック部分に敷くことで、前客使用時のネック部の水濡れや、体温や、接触感の不快を取り除く為の不職紙。
【考案の詳細な説明】
【技術分野】
【０００１】本考案はシャンプ台のネックで使用する、不織紙のえりあてに関する。
【背景技術】
【０００２】シャンプ台でのシャンプ時に、前客によるボールのネック部が濡れていることの不快感。
【考案の開示】
【考案が解決しようとする課題】
【０００３】前客によって、シャンプ台のネック部が濡れたり、体温が残っている状体で首を乗せる事の不快感。
【課題を解決するための手段】
【０００４】シャンプ台のネック部に使い捨ての不織紙［Ａ４サイズ］を敷くことを考案した。    （図１）
【考案の効果】
【０００５】前客によるシャンプ台のネックの水濡れや、体温が残っている状態で首を乗せることの不快感が解消された。
また、使い捨てなので毎回清潔でもある。
【考案を実施するための最良の形態】
【０００６】本考案によるネックシールドペーパ２は、図１に示すようにシャンプ台のネック部に敷くことにより、ネックシールドペーパの防水効果と静電気防止効果により前客のネック部の水濡れや体温の残った状態で首を乗せることの不快感から解放された。
また、使い捨てなので常に衛生的である。
【図面の簡単な説明】
【０００７】
【図１】本考案によるネックシールドペーパをシャンプ台のネック部に敷き正面より見た図。
【図２】［従来のシャンプボール台］
【符号の説明】
【０００８】１  シャンプ台
２  ネックシールドペーパ
３  シャンプボールのネック部
【図１】
0003133577.tif 000003
【図２】
0003133577.tif 000004
(57)【要約】【課題】  針先に触れることなく、針先とは反対側の操作部を動かすことで、安全ピンとして対象物を固定することを可能とする。【解決手段】  円形の本体針格納部分の切り欠きから、梃子の原理に基づき、本体の力点に当たるレバーを操作することにより、回転軸を支点として、作用点に当たる針部分が円周上を回転して衣服など対象物を通り、針先端が本体切り欠きの反対側に再び入り、従来の安全ピンと同様に対象物に固定される。【選択図】図１
0003133553.tif 000002
【実用新案登録請求の範囲】
【請求項１】
円形の本体針格納部分の切り欠きから、梃子の原理に基づき、本体の力点に当たるレバーを操作することにより、回転軸を支点として、作用点に当たる針部分が円周上を回転して衣服など対象物を通り、針先端が本体切り欠きの反対側に再び入り、固定できる安全ピン。
【考案の詳細な説明】
【技術分野】
【０００１】  本考案は、安全かつ着脱が容易な安全ピンに関するものである。
【背景技術】
【０００２】  安全ピンは、発条と針格納部分を持ち、衣服などに名札などを固定する際に使用されている。針は一度格納してしまえば、針先の部分が隠れてしまうため、針先でけがすることもなく実用上十分であった。【０００３】  しかし、従来の安全ピンでは、着脱の際、針先に近い部分を操作して、針を出し入れするため、操作の際に針先に触れてけがをしたり、発条の反発力で針の格納が失敗したりするという欠点があった。【０００４】  安全ピンの着脱に関して、この欠点は大きな障害である。具体的には、着脱に不慣れな幼児や視力の弱った老人などが誤って針を刺してしまったり、着脱に時間がかかったりするなどの問題があった。【０００５】  この欠点を解決するために、今までも針を格納する部分の形状を変えたり、材質をプラスチックなどにして、安全性を高めたものなどが考案されてきているが、依然として針の近くを操作する点や、ピンを格納するための発条を押し縮める操作が解消されるまでには、未だ至っていない現状がある。
【考案の開示】
【考案が解決しようとする課題】
【０００６】  解決しようとする問題点は、針先に近い部分を操作しなければならず、また操作の不確実さから着脱の失敗やけがが生じる点である。
【課題を解決するための手段】
【０００７】  本考案は、直接針に触れることなく、針を対象物に刺した後、格納することができることを主要な特徴とする。
【考案の効果】
【０００８】  本考案の安全ピンでは、使用していない場合は、針先端が本体内に格納されているため、針先でけがをする危険性もなく、使用の際にも、針先端と反対側のレバーを操作するため、直接針先に触れることがなく、容易な操作で安全ピンを対象物に固定できるという利点がある。
【考案を実施するための最良の形態】
【０００９】  本体は、射出成形等で形成された切り欠きのついた円形樹脂製の針格納部分と、針からレバーまでに使われる針金部分の２点の部品から形成され、コストの低減化や製造の容易さを実現している。
【実施例１】
【００１０】  図１は、本考案装置の１実施例の解放時の見取図であって、１は針先端部、２は針本体部分、３は回転軸、４は解放時の針格納位置、５は使用時の針格納位置、６は操作部、７は操作部移動用の溝、８は解放時の操作部固定用穴、９は使用時の操作部固定用穴である。図２は、本校案装置の対象物に固定したときの見取図である。【００１１】  本体が解放した状態では、図１のように針先端部分１は、本体内に格納された状態になっている。針本体２は、回転軸３を中心として、操作部６を操作することで、針を出し入れすることができる。操作部は、解放時に操作部固定用穴８に入っていて、不用意に誤って針が出てくることを防いでいる。【００１２】  本体を使用して対象物に固定するときは、操作部６を操作部移動用溝７に沿って操作部固定用穴８に移動させる。すると、針先端１は対象物に刺さって、図２のように、使用時の針格納位置５まで移動して固定される。この際、操作部７は、使用時の操作部固定用穴に入ることで固定され、誤って本体が脱落したり、針が露出した状態になったりすることを防いでいる。【００１３】  本体を解放させるときは、操作部６を操作部移動用溝７に沿って操作部固定用穴６へ移動させる。針先は対象物から抜け、本体部分に格納され固定されるため、そのまま放置しても安全である。
【産業上の利用可能性】
【００１４】  従来の安全ピンと比較して、着脱の操作は１操作で片手で容易にでき、針先に一切触れることもないため、安全性も極めて高い。このため、幼児や弱視の老人でも容易に使用でき、着脱の煩わしさの軽減や、時間の短縮ができる。
【図面の簡単な説明】
【００１５】
【図１】針格納時の安全ピンを示した説明図である。
【図２】操作後対象物固定時の安全ピンを示した説明図である。
【符号の説明】
【００２０】  １  針先端部
２  針本体部分
３  回転軸
４  解放時の針格納位置
５  使用時の針格納位置
６  操作部
７  操作部移動用の溝
８  解放時の操作部固定用穴
９  使用時の操作部固定用穴
【図１】
0003133553.tif 000003
【図２】
0003133553.tif 000004
【手続補正書】
【提出日】平成19年4月9日(2007.4.9)
【手続補正１】
【補正対象書類名】実用新案登録請求の範囲
【補正対象項目名】全文
【補正方法】変更
【補正の内容】
【実用新案登録請求の範囲】
【請求項１】
一体成形可能な弾性特性を有する樹脂等の材質からなる、中心に回転軸３を持ちＶ字型の切り欠き両端に針格納部４、５と操作部移動用の溝７並びに解放時の操作部固定用穴８と使用時の操作部固定用穴９を有する針格納体と、円周形状の針先端部分４、５を有し回転軸３に咬合する円形部分並びに針操作部分６を有する針本体で構成され、回転軸を中心とする回転運動で対象物を貫通、固定できる安全ピン。
(57)【要約】      （修正有）【課題】細かい定位が可能な疲労の少ないペン型ポインティング装置を提供する。【解決手段】形態をもっとも日常的な道具としてのペン状にし、加速度センサーによってＸＹＺ軸方向の加速度を検知し、位置信号へ変換することによって、マウスに比べてより鋭敏な定位動作を行うことが出来る。動作は書字動作に似ており、先端に特別の機構が無く、動きが滑らかであるために手や腕の疲労が少ない。小型軽量で携帯しやすい。【選択図】図１
0003133600.tif 000002
【実用新案登録請求の範囲】
【請求項１】
ペン型の形態を持ち、ＸＹＺ軸の加速度センサーを内蔵した、コンピュータディスプレイ用のポインティング装置。
【考案の詳細な説明】
【技術分野】
【０００１】この考案はペン型の形態を持ち、日常の筆記に似た動作により、内蔵する３次元加速度センサーに生じる出力を変換回路によって平面上の位置移動及び打点動作として検知する、コンピュータディスプレイ用ポインティング装置である。センサーの感度は調整装置によって上下出来る。コンピュータに向ける信号の伝達には、赤外線、無線及び有線の通信等による。センサー及び信号変換回路の小型化によって、小型軽量の携帯に便利な装置になる。
【背景技術】
【０００２】コンピュータディスプレイのポインティング装置として、もっとも一般的なマウスは椀を伏せた様な形態を持ち、比較的広い操作面を必要とし、手書き文字、直線の描画、その他の描画、また画面上の細かい定位等の作業はきわめて困難であり、長時間の作業では手や腕の疲労が生じやすい。また形状も比較的大きなため、携帯に不便である。同様の機能を持つタッチパネルは一般に運動検知の感度がより低い。
【考案の開示】
【考案が解決しようとする課題】
【０００３】今日の一般的なマウスは、書字や描画等の目的には動作が鈍く不十分であり、長時間の使用では手や腕の疲労を生じやすい。形は普通の筆記具に比べて大きく、携帯には不便である。
【課題を解決するための手段】
【０００４】装置の形を、もっとも日常的な道具としてのペン状にし（図１）、動作に伴う運動的負荷を減少する。【０００５】加速度センサー（図２−５，図３）によってＸＹＺ軸方向の加速度を検知し、次いで運動及び位置信号への変換回路（図２−６）によって、マウスに比べてより鋭敏に移動及び定位動作を行うことが出来る。動作は机等の面上を滑らせて行うが、ＸＹ軸は面と平行、Ｚ軸は垂直である。検知の感度については、感度調整器（図１−４、図２−４）で調節する。【０００６】マウスの左右ボタンと同等のの機能については、軸（図１−１）上に２個のボタンスイッチ（図１−２、図１−３）を設ける。また左ボタンの機能については、本考案のＺ軸振動によって打点動作を検知して行うことが出来るので、廃止することが出来る。【０００７】スクロール機能については、一般のマウスと同様の回転装置をペン状の軸に設けることが出来るが、これは周知の技術であるから、ここでは省略した。【０００８】本装置からコンピュータへの情報伝達（図１−ｃｏｍ）に関しては、赤外線、無線、有線通信等が可能であるが、これ等も周知の技術であるから、ここでは省略した。【０００９】センサー及びその他の電子回路の電源として電池（図２−７）を内蔵する。但しコンピュータとの通信に有線法を用いるときには、電源をコンピュータから供給出来るので不要である。
【考案の効果】
【００１０】本考案では、日常的な筆記具の形態を持ち、動作も筆記と同様であるために、長時間の使用でも疲労が少ない。加速度センサー、変換回路（図）２−５）などの過程で出力の大小を調節する感度調節器を設け（図１−４，２−４）、感度を上げれば微細な変位の検出が出来、逆に感度を下げれば緩やかな定位動作が可能である。本装置の先端には特別の機構が無く、面上を滑らかに動くことが出来るので、これも疲労の軽減に有効である。また動作面上の機構を必要としないので、狭い面積で使用できる。形態は小さく、軽量であるために携行に便利である。
【考案を実施するための最良の形態】
【００１１】コンピュータディスプレイ上の定位装置として、細かい定位を可能とし、疲労の少ない方法としては日常的な筆記動作が有効であり、考案のような先端の細いペン型の形態が妥当である。
【図面の簡単な説明】
【００１２】
【図１】本考案の装置を用いている具体図。
【図２】内部構造の概念図。ＸＹ軸は動作面と平行、Ｚ軸は垂直である。
【図３】センサーのＸＹＺ軸方向を示している。  （ａ）上面図，（ｂ）側面図
【符号の説明】
１        装置の軸
２        左ボタン
３        右ボタン
４        センサー出力調整装置
５        ＸＹＺ軸加速度センサー及びＸＹＺ軸の方向
６        信号変換回路
７        電池
ｃｏｍ    コンピュータへの通信
Ｘ        Ｘ軸の方向
Ｙ        Ｙ軸の方向
Ｚ        Ｚ軸の方向
【図１】
0003133600.tif 000003
【図２】
0003133600.tif 000004
【図３】
0003133600.tif 000005
(57)【要約】【課題】  皮の硬いカボチャを切る時にかなりの力を必要とするのを軽減させ、老人、力の弱い人々でも簡単に切断出来るように、又、切断の作業時の安全と安定性を考慮したカボチャ切り具を提供する。【解決手段】  力の軽減については、波形切り刃（１）を使用する事で力の分散が出来、又、切り刃ストッパー付きスライド具（３）を使用する事で上から下に両手で押し切るので、力の集中と片手よりも力の軽減により、切る方向性も一定なので安全であり、切り台（５）にカボチャを置く、くぼみを設けて切る作業が安定であることを特徴とする。【選択図】図１
0003133599.tif 000002
【実用新案登録請求の範囲】
【請求項１】
すべり止め取手の付いた波形切り刃を、切り刃ストッパー付きスライド具に、差し込み上から下に両手で、カボチャを押し切ることを特徴とするカボチャ切り具。
【考案の詳細な説明】
【技術分野】
【０００１】  本考案は、片手でカボチャを切るのではなく両手の力を利用する事で力の分散を計り、より楽にカボチャを切ることが出来、カボチャを置く凹のある切り台なので安定して作業ができ、特に、力が弱い人を念頭に置いたカボチャ切りに関するものである。
【背景技術】
【０００２】  従来、皮の硬いカボチャを切るには、出刃包丁を使用し、老人、又力が弱い人には、食べたい食品であってもなかなか料理に難があった。
【考案の開示】
【考案が解決しようとする課題】
【０００３】  それには、次のような問題点があった。
（イ）片手でカボチャを押さえ、片手に出刃包丁を持ち作業するので不安定で安全性にも問題があった。
（ロ）老人、力が弱い人には料理に負担があった。
（ハ）食べたい人々に多少のおっくうさを感じさせた。
本考案は、これらの問題点を解決するためになされたものである。
【課題を解決するための手段】
【０００４】  本考案は、波形の切り刃を用い、切り刃の接点に時間差を設けて切る時に力の負担を分散し、両手の力を利用する事で力の負担を軽減し、くぼみのあるカボチャ切り台を利用する事で作業に安定性と安全性を得る事を特徴とするカボチャ切り具である。
【考案の効果】
【０００５】  切り刃を波形にした事で、力の分散と両手の力を利用する事で力の負担を軽くし、切り刃をスライド具に合わせて上から下に押し切るので、力の集中と切る作業の安定性と安全性がある。
【考案の実施するための最良の形態】
【０００６】  以下、本考案の実施の形態について説明する。
プラスティック成形した切り台（５）にプラスティック成形した切り刃ストッパー付きスライド具（３）をスライド具差し込み部（４）に差し込み波形切り刃（１）の両端にゴム製のすべり止め取手（２）を装着して両手で押し切る。
【０００７】  本考案は以上のような構造で、これを使用する時には、
（イ）切り台（５）に切り刃ストッパー付きスライド具（３）を差し込み部（４）に差し込み固定する。
（ロ）凹型切り台（５）の凹部にカボチャのひた付き面を下にして置く。
（ハ）波形切り刃（１）を切り刃ストッパー付きスライド具（３）に差し入れてすべり止め取手（２）を両手で持ち押し下げてカボチャを切る。
【図面の簡単な説明】
【０００８】
【図１】本考案の断面図
【図２】本考案の側面図
【符号の説明】
【０００９】  １  波形切り刃
２  すべり止め取手
３  切り刃ストッパー付きスライド具
４  スライド具差し込み部
５  凹型切り台
６  切り刃溝
７  カボチャひた収め穴
【図１】
0003133599.tif 000003
【図２】
0003133599.tif 000004
(57)【要約】      （修正有）【課題】酒の長期熟成保存を可能にするとともに酒蔵で仕込んだ甕をそのまま販売あるいは消費の場所まで移動し酒蔵に貯蔵してあると同じ状態を保ったまま販売あるいは消費を行うことを可能にする。【解決手段】甕の蓋に、窒素を封入するための排気弁、給気弁、ポンプと計量器からなる分注装置を取付け、窒素を封入することで貯蔵から販売まで同じ甕を用いて行うことを可能とした。また、甕の冷却のための容器に、運搬のための梱包用材の機能を併せ持たせることにより、運搬、移動を容易にした。【選択図】図１
0003133593.tif 000002
【実用新案登録請求の範囲】
【請求項１】
排気弁と給気弁、ポンプ取付け用の子蓋を設けた蓋を有する、甕を使用した容器。
【請求項２】
たらい状の容器を有する請求項１の甕を使用した容器。
【請求項３】
ポンプ、計量器を備えた請求項１の甕を使用した容器。
【考案の詳細な説明】
【技術分野】
【０００１】  本考案は酒の生産者である酒蔵で熟成、保存のため甕に貯蔵した酒を、容器を移し変えることなくそのまま最終需要家に分注販売するための酒の貯蔵、分注装置に関するものである。
【背景技術】
【０００２】  一般に酒蔵において甕などに貯蔵した酒は一旦その封を切ると酸化による品質の劣化が始まる。そのため、瓶詰めするなどして小分けして販売するか、甕からの販売にこだわる場合は短期間に消費できる小さな甕を用いざるを得なかった。この場合においても経時に比例した酸化が進むことは避けられなかった。【０００３】  一般に分注販売あるいは分注消費するためには、分注するための工夫として、器体下部に呑口を設けてある、それ用に作られた甕を用いている。この場合には陶芸作品としての情趣をその甕に求めることは困難である。また、陶芸作品的に生産された呑口を持たない一般的な甕、壷を用いた場合は、その都度蓋を取って汲出すことになり不衛生であり酸化も進みやすい。
【考案の開示】
【考案が解決しようとする課題】
【０００４】  酒の貯蔵から販売あるいは消費の流れの中で、酸化による品質劣化の問題を解決することは重要な課題である。また、一般的形状の情趣ある甕などに酒蔵で酒を貯蔵しても、その甕をそのまま販売あるいは消費の段階でも使用することは困難であった。この考案はこのような課題を解決し、酒の長期熟成保存を可能にするとともに酒蔵で仕込んだ甕をそのまま販売あるいは消費の場所まで移動し酒蔵に貯蔵してあると同じ状態を保ったまま販売あるいは消費を行うことを可能にするものである。
【課題を解決するための手段】
【０００５】  甕の蓋に、甕の中の酸素を排除し窒素を封入するための排気弁、給気弁を設けるとともに販売あるいは消費の段階で使用する分注装置のポンプを取付けるための子蓋を設けておく。即ち、窒素封入を可能にする機能を蓋に設けるとともに、販売あるいは消費の時点でも窒素を封入したまま分注可能にするため、そのためのポンプが取付けられるよう、取付け部を設ける。また、甕は、パレットの役目をする梱包用材を兼ねた、たらい状の容器の中に予め載せておく。ポンプは外気を取込まないように工夫されたものを使用し、また、甕の中の酒の減量に応じて窒素を補充できるよう窒素供給装置に接続する。
【考案の効果】
【０００６】  貯蔵から販売あるいは消費の段階まで空気との接触を排除することができ、酸化による品質劣化を防止できる。販売あるいは消費の状態が長く続いても、酒蔵で貯蔵してある状態と同じ環境が得られるので販売あるいは消費しながら熟成保存が可能となる。【０００７】  酒蔵で貯蔵に使用した情趣ある甕をそのまま販売あるいは消費の段階でも使用でき、質的な付加価値を向上できる。甕は、特別な形状のものを製作するのではなく、任意の伝統工芸作品などを使用できる。また、酒を貯蔵甕から別の容器に移し替える必要が無くなる。【０００８】  貯蔵時に、甕を、パレットの役目をする梱包用材を兼ねた、たらい状の容器の上に載せておくことにより、貯蔵した酒により、重くなった甕を持ち上げることなく安全に、かつ容易に梱包が可能となる。また、販売あるいは消費の段階では、重い甕を持ち上げることなく、梱包用材として利用した、たらい状の容器に冷却水を入れ、甕を冷却することが可能となる。
【考案を実施するための最良の形態】
【０００９】  甕は、任意の伝統工芸作品などを使用する。排気弁、給気弁を有し、ポンプ取付け用の子蓋を有する蓋により甕を密封する。排気弁は真空ポンプに、給気弁は窒素供給装置にそれぞれ接続する。甕はパレットの役目をする梱包用材を兼ねた、たらい状の容器に載せておく。販売あるいは消費時においては子蓋をはずし、そこにポンプを取付ける。ポンプからの吐出管は同じく蓋に取付けた計量器に接続し、吐出した量を計量できるようになっている。たらい状の容器には水をいれ、その水を冷却機で冷却することにより甕の中の酒を冷却する。甕の中には温度検出器を入れてあり冷却機の温度調節器に接続してある。
【実施例】
【００１０】  以下、添付図面に従って実施例を説明する。甕は蓋１により密閉されている。蓋１には、これを貫通して排気弁３、給気弁４を取付けてある。販売時においては子蓋２ａを介してポンプ６、吐出管７、温度検出器９が蓋１に装着される。また、子蓋２ａを介さず計量器８が蓋１に取付けられる。吐出管７は計量器８に接続される。排気弁３は真空ポンプに、給気弁４は窒素供給装置にそれぞれ接続する。【００１１】  このように接続後、排気弁３を開いて真空ポンプにより甕内の空気を排出する。排出後排気弁３を閉じ、給気弁４を開いて窒素を甕内に封入する。この状態を保ったまま、必要量を分注装置（ポンプ６、吐出管７、計量器８）により取出す。この際必要に応じて、たらい状容器１１に水を張り、冷却用熱交換器１０を働かせる。【００１２】  貯蔵時においては蓋１は子蓋２ｂにより密閉された状態にある。販売時においては前述したように、この子蓋２ｂをはずして、ポンプ６、吐出管７、温度検出器９を取付けてある子蓋２ａを取付ける。貯蔵時の窒素封入方法は前述の販売時と同じである。
【図面の簡単な説明】
【００１３】
【図１】  販売時の装置全体の接続系統図を兼ねた断面図
【図２】  貯蔵時の蓋の断面図
【符号の説明】
【００１４】  １    蓋
２ａ  子蓋（販売時）
２ｂ  子蓋（貯蔵時）
３    排気弁
４    給気弁
５    甕
６    ポンプ
７    吐出管
８    計量器
９    温度検出器
１０    冷却用熱交換器
１１    梱包用材を兼ねた、たらい状容器
【図１】
0003133593.tif 000003
【図２】
0003133593.tif 000004
(57)【要約】      （修正有）【課題】足の健康器具の機能効果に、トルマリンシートによる効能を有し、足の健康増進の効能を得る。【解決手段】棒体１と両端同一外径円柱体２からなる足の健康器具にトルマリンシート３を棒体の外周面に貼り付ける。【選択図】図１
0003133598.tif 000002
【実用新案登録請求の範囲】
【請求項１】
棒体の外周面にトルマリンシートを貼り付けたことを特徴とする足の健康器具。
【考案の詳細な説明】
【技術分野】
【０００１】  本考案は、トルマリンシートを外周面に貼り付けた棒体と両端同一外径円柱体からなる足の健康器具に関するものである。足裏をトルマリンシート上面に乗せ、足を前後に動かし、足裏のマッサージおよび足裏ツボの刺激を行う足の健康器具の機能効果に、トルマリンシートよりトルマリン特有の効能であるマイナスイオンを取り込み、遠赤外線による保温・保熱効果を有し、足の健康増進の効能を得ることを特徴とする。
【背景技術】
【０００２】  従来、トルマリン特有の効能のマイナスイオン、遠赤外線の健康への作用効能を利用し、健康の向上、体質の改善として、トルマリンシートは寝具類（フトン、枕、毛布のカバー）、衣類（シャツ、靴下）、腰や膝用サポーター等に数多く製品が提供されているが、トルマリンシートを利用した足の健康器具はなかった。また、棒体と両端同一外径円柱体からなる足の健康器具は足裏を棒体に乗せ、足を前後に動かし、足裏のマッサージおよび足裏ツボの刺激を行い、足の健康への効能を得るものである。
【考案の開示】
【考案が解決しようとする課題】
【０００３】  これでは、足を前後に動かし、足裏のマッサージおよび足裏ツボの刺激を行う、足の健康への効能を得るのみであった。
【課題を解決するための手段】
【０００４】  そこで、トルマリンシートを外周面に貼り付けた棒体と両端同一外径円柱体からなる足の健康器具を考案した。
【考案の効果】
【０００５】  トルマリンから放射される遠赤外線、また発生するマイナスイオンの取り込みは、体の健康の向上に、よいことが知られている。効率よくトルマリン特有の効能を取り出すには、トルマリンシートは水分を含む、空気の対流がある、圧力が加わる、摩擦が発生するなどの条件を必要とする。トルマリンシートを外周面に貼り付けた棒体と両端同一外径円柱体からなる足の健康器具は、足裏をトルマリンシートに直接触れ、足を前後に動かし、足裏のマッサージおよび足裏ツボの刺激を行うので、トルマリンシートは足からの水分（汗）、体温、踏み圧力を受ける。足の動きで空気の対流、摩擦が発生するため、効率よくトルマリン特有の効能を得ることが可能になる。足の健康器具の機能効果に、トルマリンシートによる効能を有し、足の健康増進の効能を得ることができる。
【考案を実施するための最良の形態】
【０００６】  本考案は、図１に示すように、棒体１と両端同一外径円柱体２からなる足の健康器具にトルマリンシート３を棒体１の外周面に貼り付けたことを特徴とする足の健康器具である。【０００７】  トルマリンシートを貼り付ける棒体と両端同一外径円柱体からなる足の健康器具の材料は木材でよい。また棒体を断面異形状棒、両端を同一外径球体としてもよい。
【図面の簡単な説明】
【０００８】
【図１】  本考案に係るトルマリンシートを棒体の外周面に貼り付けた足の健康器具の一部切欠断面図である。
【図２】  従来の棒体と両端同一外径円柱体とからなる足の健康器具の正面図である。
【符号の説明】
【０００９】  １      棒体
２      同一外径円柱体
３      トルマリンシート
【図１】
0003133598.tif 000003
【図２】
0003133598.tif 000004
(57)【要約】      （修正有）【課題】従来のカミソリは刃部と一体化した柄部を手指で握り、その手指を動かすことで刃部と毛が接触し毛を剃ることができる。その握るという行為をすることで、握った方の手指を自由に使えるようにする。【解決手段】カミソリの柄部を、手指に装着できる器具にすることにより柄部を握握るという行為なく、カミソリをして、毛を剃るという機能を果たさしめ、カミソリを装着した方の手指をも自由に毛を剃るという行為に参加せしめることを可能とした。【選択図】図１
0003133596.tif 000002
【実用新案登録請求の範囲】
【請求項１】
手に持って毛を剃るカミソリにおいて、手に持つ部位である柄部に、手指に装着可能な器具を用いたカミソリ。
【考案の詳細な説明】
【技術分野】
【０００１】本考案は，顔面部等の毛を剃る際に用いる、カミソリに関するものである。
【技術背景】
【０００２】通常カミソリの構造は「刃の部位」（刃を支える部位を含む）と手指で握る「柄部」が一体となっている。
毛を剃る際には柄部を手指で握り、動かすことで刃の部位が毛と接触し、結果毛を剃る。
【考案の開示】
【考案が解決しようとする課題】
【０００３】従来の構造では  カミソリの柄部を持つ方の手は柄部を握り動かすという行為のみを行う。
しかし、毛が存在する部位によっては凹凸があり単に柄部を動かすだけでは剃り残しが出来る。  そこで剃り残しを解消すべく刃部を毛に対して多方向から当て、又、柄部を持つ手と逆の手指で、皮膚をつまむ、押すという行為でより一層刃部と毛を接触し、剃り易くしようとする。  しかし柄部を持つ手と逆の手指が何らかの理由（何かを持っている、手指が不自由等）で使えない場合は、先に述べた、皮膚をつまむ、押すという行為はできない。
又、皮膚をつまむ、押す方の手の存在が障害となり刃部が毛にうまく接触できない可能性も生ずる。
【課題を解決するための手段】
【０００４】本考案は、従来のカミソリの柄部に相当する位置に手指に装着できる器具を用いることで「柄部を握る」という行為なく刃部を手指に固定し上記課題を解決するものである。
【考案の効果】
【０００５】請求項１の考案によれば、手指装着用器具によりカミソリを装着した手指以外の手指（１本の指に装着した場合は残り４本の指）を開放することが出来、剃り残し解消のための、皮膚をつまむ、押す行為にその開放された手指を用いることができる。
【考案を実施するための最良の形態】
【０００６】図面を参照して本考案の実施の形態を説明する。
直接または部品を介して刃部（１）と手指装着器具部（２）を一体化する。
【図面の簡単な説明】
【図１】カミソリの正面図である］（符号の説明）１  刃部  ２  手指装着用器具部
【図２】カミソリの側面図である
【符号の説明】
１  刃部
２  手指装着用器具部
【図１】
0003133596.tif 000003
【図２】
0003133596.tif 000004
(57)【要約】      （修正有）【課題】オープンファスナーを使用し、二分割可能なクッション用カバーを作り、異なった生地を使った組み合わせが可能なクッション用カバーを提供する。【解決手段】生地を裁断し、一辺が開いた袋状に縫製したもの１と２を作り、１と２の開口部それぞれに対となる３ａと３ｂのオープンファスナーを縫製する。オープンファスナーによって二分割可能となり、異なった生地を使った無数の組み合わせが可能となる。【選択図】図１
0003133595.tif 000002
【実用新案登録請求の範囲】
【請求項１】
生地を裁断し、袋状に縫製したものを二枚以上製作し、袋の開口部それぞれに対となるオープンファスナーを縫製することで、無数の生地を使ったカバー同士の連結を可能とするところを特徴とした分割式クッション用カバー
【考案の詳細な説明】
【技術分野】
【０００１】  本考案は、オープンファスナーを使用し、連結可能なクッション用カバーに関するものである。
【背景技術】
【０００２】  従来のクッション用カバーはクッションを包むため、その一辺にあるファスナーはクッションの出し入れをする用途のためのみに取り付けられていた。
【考案の開示】
【考案が解決しようとする課題】
【０００３】  異なった生地を使った無数の組み合わせが可能となることにより、使用者は選択肢を複数持ち、好きなデザインや好きな生地の組み合わせを楽しめる。
【課題を解決するための手段】
【０００４】  無数の生地を裁断し、袋状に縫製したものを二枚以上製作し、袋の開口部それぞれに対となるオープンファスナーを縫製することで、クッション用カバーの分割を可能とする。
【考案の効果】
【０００５】  異なった生地を使ったクッション用カバーの、無数の組み合わせが可能となる。
【考案の実施するための最良の形態】
【実施例】
【０００６】  生地を裁断し、一辺が開いた袋状に縫製したもの１と２を作り、１と２の開口部それぞれに対となる３ａと３ｂのオープンファスナーを縫製する。
【図面の簡単な説明】
【０００７】
【図１】本考案の一実施例を示す平面図である。
【図２】オープンファスナーの取付け位置を表したカバー一片の開口部断面図である。
【符号の説明】
【０００８】  １  袋状に縫製した生地ａ
２  袋状に縫製した生地ｂ
３  オープンファスナー
【図１】
0003133595.tif 000003
【図２】
0003133595.tif 000004
(57)【要約】      （修正有）【課題】遠方に住んでいて滅多に墓参ができない人や、体が不自由で他人の手を借りなければ花を持って墓参ができない人のために、供えた時のままの状態で花が常に供えられているように構成した供花用カバーを提供する。【解決手段】透明な合成樹脂材からなる円板の外周辺を立ち上がらせて側板２を形成し、この側板２の外周部に係止部３を設けた台板１の中心部に設けた花立て挿通孔４に造花を活けた花立てを挿着し、これとは別に上部をドーム状に形成した透明な樹脂材からなる円筒状の蓋５の内側下部に前記側板の外周部に設けた係止部３に対応する係合部６を設けた蓋５をワンタッチで前記台板１に嵌脱自在に取り付けたことを特徴とする。【選択図】図３
0003133592.tif 000002
【実用新案登録請求の範囲】
【請求項１】
透明な合成樹脂材からなる円盤の外周辺を立ち上がらせて側板を形成し、この側板の外周部に係止部を設けた台板の中心部に、花立て挿通孔に供花を活けた花立てを挿着し、これとは別に頂部をドーム状に形成した透明な樹脂材からなる円筒状の蓋の内側下部に前記側板の外周部に設けた係止部に対応する係合部を設けた蓋をワンタッチで前記台板に着脱自在に取り付けたことを特徴とする供花用カバー。
【考案の詳細な説明】
【技術分野】
【０００１】  本考案はお墓に供える花をできるだけ当初の綺麗な状態を長期間保つことができるように構成した供花用カバーに関するもので、遠方に住んでいて小まめに墓参ができない人や、体が不自由で他人の手を借りなければ墓参ができない人の為に常時活きた状態で花が墓に供えられているように構成した供花用カバーに関するものである。
【背景技術】
【０００２】  従来、墓に供える花は霊前用に選択された生花を墓石の前部左右に設けられた花立てに挿入して活けられていた。
又、花をできるだけ長持ちさせるために花束の周囲を透明な樹脂製の布材に包んで花立に挿入して活けていた。
【考案の開示】
【考案が解決しようとする課題】
【０００３】  しかし、このようにして墓前に供えた花は風雨に晒されやすく、風雨に晒されると直ぐに萎れてしまい、特に強い風に当たると活けた花が倒れたり折れたりして供花の価値が短時間で失われる欠点があった。
又、遠く離れていて滅多に墓参ができない人や、体が不自由で生花を持参できない人等は出来るだけ供花が長期日枯れないように加工したブリザードフラワーを活けることが考えられているが、風雨に晒されると短期間で花の美しさが失われることを防ぐことはできなかった。
本考案は透明な合成樹脂材からなる円盤の外周辺を立ち上がらせて側板を形成し、この側板の外周部に係止部を設けた台板の中心部に花立て挿通孔を設け、これと別に頂部がドーム状に形成された透明な合成樹脂材からなる円筒状の蓋の係合部を前記台板の係止部と係合させて一体にし、従来から墓に取り付けられている花立を利用して墓に供える造花を保護し長持ちさせる供花用カバーを提供することを目的とする。
【課題を解決するための手段】
【０００４】  上記目的を達成するため本考案は、透明な合成樹脂材からなる円盤の外周辺を立ち上がらせて側板２を形成し、この側板２の外周部に係止部３を設けた台板１の中心部に花立て挿通孔４を設け、この花立て挿通孔４に供花を活けた花立てＢを挿着し、これとは別に頂部をドーム状に形成した透明な樹脂材からなる円筒状の蓋５の内側下部に前記側板の外周部に設けた係止部３に対応する係合部６を設けた蓋５をワンタッチで前記台板１に着脱自在に取り付けたものである。
【考案の効果】
【０００５】  上記のように構成された本考案を利用すると次のような効果かある。
ａ．墓に設けてある花立てを利用して固定されるので、かなりの強風が吹いても風の抵抗が少ないドーム形の円筒状のカバーの中に活けられた供花は造花やブリザードフラワーであるため長期間、折れたり、萎れたりすることがない。
ｂ．カバー全体が透明なので中の供花は色が長期間褪せたり枯れたりすることがなく、活けた当初のままの綺麗で新鮮な状態が続くので墓の周辺に長時間明るい雰囲気が漂う。
ｃ．滅多に墓参のできない人や、体の不自由な人であっても、本考案を利用することによっての常に新鮮な供花がされ、こまめに墓参りが行なわれているように見える。
【考案を実施するための最良の形態】
【０００６】  以下、本考案の実施の形態を図面に基づいて説明する。
図１は本考案のカバーの正面図、図２は図１におけるＩＩ−ＩＩ断面図、図３は本考案の分解斜視図、図４は本考案の使用状態を示した図で図中の符号ＡはカバーＢは花立て、Ｃは墓を示す。【０００７】  １は円盤状の透明樹脂材からなる台板で、この台板１の中心部には従来から墓に使用されている花立てを挿着する花立て挿通孔４が設けられ、台板１の外周辺を立ち上がらせることによって側板２が形成され、側板２の外側面には係止部３が設けられている。【０００８】  側板２は台板１の外周を立ち上がらせることによって形成されたもので、外側面に設けられた蓋５を固定するための係止部３が設けられ設けられている。【０００９】  係止部３は蓋５を台板１に嵌着するために設けられたもので、蓋５の内側低部に設けられた係合部６と係合させることによって台板１と蓋が着脱自在に一体にになるようになっている。【００１０】  花立て挿通孔４は花立てＢの挿入部７を挿通させ、墓Ｃの取付孔に嵌入するようにになっており、台板１の中心部に設けられた花立て挿通孔４は花立てＢの挿入部７を挿通させ、墓Ｃの取付孔に嵌入することによってカバーＡ全体が固定されるようになっている。【００１１】  ５は頭部がドーム状の丸みを帯びた透明樹脂材からなる円筒状の蓋で、蓋５の内側下部に係合部６が設けられてあって、台板１の係止部３と係合させることによって台板１と蓋５が一体になったカバーＡが構成される。【００１２】  上記のように構成された本考案を実際に使用する場合は次のようになる。
図５に示したように、カバーの蓋を台板から取り外した状態で供花を活けた花立ての筒状の挿入部を台板の花立て挿入孔に挿通し、台板の係止部と蓋の係合部を係合させ、墓の花立て受孔に花立ての挿入部を墓に設けてある取付孔に挿着し固定する。
このようにすることによって本考案の供花は風雨に晒されることなく長期間新鮮な美しい状態を保ち、墓の周辺が明るい雰囲気に包まれる。
【図面の簡単な説明】
【００１３】
【図１】  本考案の正面図
【図２】  図１におけるＩＩ−ＩＩ断面図
【図３】  本考案の分解斜視図
【図４】  本考案の使用状態を示した図
【符号の説明】
【００１４】    １  台板
２  側板
３  係止部
４  花立て挿通孔
５  蓋
６  係合部
７  挿入部
Ａ  カバー
Ｂ  花立て
Ｃ  墓
【図１】
0003133592.tif 000003
【図２】
0003133592.tif 000004
【図３】
0003133592.tif 000005
【図４】
0003133592.tif 000006